(57)【特許請求の範囲】
【請求項１】
発局で放送される映像信号とデータ信号とからなる放送データを、受局に伝送する放送データ伝送システムであって、
前記映像信号及びデータ信号を送出する送出時刻に関する時間情報を前記映像信号及び前記データ信号にそれぞれ付加する時間情報付加手段と、
前記映像信号及び前記データ信号を前記受局に伝送する手段と、
受局において映像信号及びデータ信号に付加された時間情報をそれぞれ取得し、これらの時間情報を照合する手段と、
前記照合結果に基づくタイミングにより前記映像信号と前記データ信号とを多重化する多重化手段と、
伝送速度が異なる回線で送られた映像信号とデータ信号の送出タイミングを送出時刻によって受局で自動的に調整する手段と
を有することを特徴とする放送データ伝送システム。
【請求項２】
前記受局において受信され、複製されたデータ信号のそれぞれを一時的に蓄積する複数のバッファ手段と、
前記時間情報に基づいて、前記複数のバッファ手段のうちいずれかのバッファ手段からデータ信号を固定レートで出力する手段と、
前記帯域の未使用分を検出した際に帯域余剰信号を出力する手段と、
前記帯域余剰信号に基づいて、前記複数のバッファ手段のうち他のバッファ手段からデータ信号を、前記帯域の未使用分量に応じた可変レートで出力する手段と
を有することを特徴とする請求項１に記載の放送データ伝送システム。
【請求項３】
発局において、発局固有の送出時刻を時間情報として前記映像信号及びデータ信号に付加する発局側時刻発生手段と、
受局において、受局固有の送出時刻を時間情報として生成する受局側時刻発生手段と、
受局における前記多重化手段による多重処理に際し、発局側の時間情報を、受局側の時間情報に付け替える手段と
を有することを特徴とする請求項１に記載の放送データ伝送システム。
【請求項４】
発局で放送される映像信号とデータ信号とからなる放送データを、受局で放送するための放送データ伝送方法あって、
発局において前記映像信号及びデータ信号を送出する送出時刻に関する時間情報を、前記映像信号及び前記データ信号にそれぞれ付加するステップと、
前記映像信号及び前記データ信号を他の放送局に伝送するステップと、
受局において映像信号及びデータ信号に付加された時間情報をそれぞれ取得し、これらの時間情報を照合するステップと、
前記照合結果に基づくタイミングにより前記映像信号と前記データ信号とを多重化するステップと、
伝送速度が異なる回線で送られた映像信号とデータ信号の送出タイミングを送出時刻によって受局で自動的に調整するステップと
を有することを特徴とする放送データ伝送方法。
【請求項５】
前記他の局において受信され、複製されたデータ信号を一時的に複数のバッファ手段のそれぞれに蓄積するステップと、
前記時間情報に基づいて、前記複数のバッファ手段のうちいずれかのバッファ手段からデータ信号を固定レートで出力するステップと、
前記帯域の未使用分を検出した際に帯域余剰信号を出力するステップと、
前記帯域余剰信号に基づいて、前記複数のバッファ手段のうち他のバッファ手段からデータ信号を、前記帯域の未使用分量に応じた可変レートで出力するステップと
を有することを特徴とする請求項４に記載の放送データ伝送方法。
【請求項６】
発局において、発局固有の送出時刻を時間情報として前記映像信号及びデータ信号に付加するステップと、
受局において、受局固有の送出時刻を時間情報として生成するステップと、
受局における前記多重化手段による多重処理に際し、発局側の時間情報を、受局側の時間情報に付け替えるステップと
を有することを特徴とする請求項４に記載の放送データ伝送方法。
【請求項７】
発局で放送される映像信号とデータ信号とからなる放送データを、受局において放送可能に変換するデータ変換装置であって、
前記映像信号及びデータ信号を送出する送出時刻に関する時間情報がそれぞれ付加された前記映像信号及び前記データ信号を受信する手段と、
映像信号及びデータ信号に付加された時間情報をそれぞれ取得し、これらの時間情報を照合する手段と、
前記照合結果に基づくタイミングにより前記映像信号と前記データ信号とを多重化する多重化手段と
を備えることを特徴とするデータ変換装置。
【請求項８】
前記受信され、複製されたデータ信号のそれぞれを一時的に蓄積する複数のバッファ手段と、
前記時間情報に基づいて、前記複数のバッファ手段のうちいずれかのバッファ手段からデータ信号を固定レートで出力する手段と、
前記帯域の未使用分を検出した際に帯域余剰信号を出力する手段と、
前記帯域余剰信号に基づいて、前記複数のバッファ手段のうち他のバッファ手段からデータ信号を、前記帯域の未使用分量に応じた可変レートで出力する手段と
を有することを特徴とする請求項７に記載のデータ変換装置。
【請求項９】
発局において前記映像信号及びデータ信号に付加された発局固有の時間情報を取得する手段と、
受局固有の送出時刻を時間情報として生成する手段と、
受局における前記多重化手段による多重処理に際し、発局側の時間情報を、受局側の時間情報に付け替える手段と
を有することを特徴とする請求項７に記載のデータ変換装置。
【発明の詳細な説明】
【０００１】
【発明の属する技術分野】
本発明は、発局で放送される映像信号とデータ信号とからなる放送データを、受局において放送するための放送データ伝送システム、放送データ伝送方法、及びデータ変換装置に関する。
【０００２】
【従来の技術】
従来のアナログ地上放送においては、中央の本局等で放送される放送番組を、地方のローカル局でも放送する方式が採られている。一方、放送の新しい形態としてデジタル放送が開始されており、このデジタル放送においては、文字や静止画、動画、プログラム等のコンテンツをデジタルデータとして放送するデータ放送方式が採用されている。
【０００３】
このデータ放送では、映像信号とデータ信号とからなる放送データを所定の帯域で放送するが、これらのデータを送出する方式としてＶＢＲ方式が採用されている。このＶＢＲ方式は、所定帯域を、映像信号用の帯域と、データ信号用の帯域とに分けて、各々の帯域で各信号をそれぞれ送出するが、映像信号のデータ量が減少しているときには、映像信号用の帯域を減少させ、データ信号の帯域を増大させるなどの可変的に帯域を調整する機能が備えられている。
【０００４】
【発明が解決しようとする課題】
しかしながら、従来のデータカルーセルのＶＢＲ方式では、上述したように、映像ビットレートの減少に応じてデータ放送帯域を可変制御しているため、地方放送局のようなローカル局で映像の差替えがある場合には、発局からのＶＢＲ−ＴＳをそのまま使うことができなかった。
【０００５】
また、放送データを伝送する他の方式としては、データ信号と映像信号とを別の経路及び方式で伝送するものがあるが、これによると、ローカル局においてデータ信号と映像信号の同期を取る必要が生じるが、従来のデータカルーセル方式は時間同期がないことを特徴としていたため、映像ストリームとの時間同期は困難であり、地上デジタル放送におけるローカル局での映像データ放送同期方法は確立されていなかった。
【０００６】
そこで、本発明では、本局で放送される放送データを地方局でそのまま利用することを可能とし、コンテンツの有効利用を図るとともに、地方局でのコンテンツ製作に関する負担を軽減することを目的とする。
【０００７】
【課題を解決するための手段】
本願に係る発明は上記課題を解決すべくなされたものであり、発局で放送される映像信号とデータ信号とからなる放送データを、受局に伝送する際に、映像信号及びデータ信号を送出する送出時刻に関する時間情報を、映像信号及びデータ信号にそれぞれ付加し、映像信号及びデータ信号を受局に伝送し、受局において映像信号及びデータ信号に付加された時間情報をそれぞれ取得し、これらの時間情報を照合し、照合結果に基づくタイミングにより映像信号とデータ信号とを多重化し、伝送速度が異なる回線で送られた映像信号とデータ信号の送出タイミングを送出時刻によって受局で自動的に調整することを特徴とする。なお、この時間情報としては、例えば、発局におけるシステム時間やこれに基づいて算出される時間（実時間、ＮＰＴ（Ｎｏｒｍａｌ  Ｐｌａｙ  Ｔｉｍｅ）時刻、ＳＴＣ（Ｓｙｓｔｅｍ  ｔｉｍｅ  ｃｌｏｃｋ）、ＰＣＲ（Ｐｒｏｇｒａｍ  Ｃｌｏｃｋ
Ｒｅｆｅｒｅｎｃｅ）またはこれらの組み合わせ）が含まれる。
【０００８】
このような本発明によれば、発局において映像信号及びデータ信号のそれぞれに時間情報を付加し、この時間情報に基づいて受局で、映像信号とデータ信号との同期を取りつつ多重化を行うことができるため、受局における放送データの利用が容易なものとなる。
【０００９】
本発明では、受局において受信され、複製されたデータ信号のそれぞれを複数のバッファ手段に一時的に蓄積し、時間情報に基づいて、前記複数のバッファ手段のうちいずれかのバッファ手段からデータ信号を固定レートで出力し、帯域の未使用分を検出した際に帯域余剰信号を出力し、帯域余剰信号に基づいてバッファ手段からデータ信号を、帯域の未使用分量に応じた可変レートで出力することを特徴とする。
【００１０】
このような本発明によれば、受局において映像信号とデータ信号とを多重化する際に、固定ビットレートと可変ビットレートとを併用することにより、未使用の帯域を有効利用することができる。
【００１１】
本発明では、発局において、発局固有の送出時刻を時間情報として映像信号及びデータ信号に付加し、受局において、受局固有の送出時刻を時間情報として生成し、受局における多重処理に際し、発局側の時間情報を、受局側の時間情報に付け替えることを特徴とする。
【００１２】
このような本発明によれば、発局と受局とが、それぞれ固有の時間情報で多重化及び放送を行うことができ、各局の環境に適応させつつ、コンテンツの有効利用を図ることができる。
【００１３】
【発明の実施の形態】
（データ放送システムの構成）
本発明の実施形態について図面を参照しながら説明する。図１及び図２は、本実施形態に係るデータ放送方法の概要を示す説明図である。
【００１４】
図１に示すように、本実施形態に係る放送データ伝送システムは、キー局である発局１と、ローカル局である受局２との間で、放送データを伝送する。具体的に、発局１は、実時間発生部１１と、ＳＴＣ発生部１２と、ＳＤＩ補助信号エンコーダ１３と、ＮＰＴ時刻生成機１４と、ＮＰＴ参照記述子生成機１５と、映像エンコーダ１６と、データ放送ストリームパケタイザー１７とを有する。
【００１５】
実時間発生部１１は、絶対時間を計時し、送出時刻を時間情報としてＳＤＩ補助信号エンコーダ１３及びＮＰＴ時刻生成機１４に出力するものである。ＳＴＣ発生部１２は、発局１のシステム固有のシステム時間であるＳＴＣ（Ｓｙｓｔｅｍ  ｔｉｍｅ  ｃｌｏｃｋ）を計時するものであり、ＳＴＣ値をＮＰＴ参照記述子生成機１５及び映像エンコーダ１６に出力する。
【００１６】
ＳＤＩ補助信号エンコーダ１３は、映像信号に含まれるＳＤＩ補助信号領域に実時間を付加するものであり、ＳＤＩ補助信号領域に付加された実時間は、映像エンコーダ１６に出力される。
【００１７】
ＮＰＴ時刻生成機１４は、実時間発生部１１から入力された時間情報に基づいてＮＰＴ時刻を生成するものであり、このＮＰＴ時刻は、ＮＰＴ参照記述子生成機１５に出力される。ＮＰＴ参照記述子生成機１５は、ＮＰＴ時刻生成機１４及びＳＴＣ発生機１２からの情報に基づいてＮＰＴ参照記述子を生成するものである。このＮＰＴ参照記述子は、ＮＰＴ時刻とＳＴＣとを対応付ける対応テーブルデータである。そして、生成されたＮＰＴ参照記述子は、データ放送ストリームパケタイザー１７に出力される。このＮＰＴ参照記述子生成機１５では、ＮＰＴ時刻は送出実時間と同一となっている。
【００１８】
映像エンコーダ１６は、映像信号を放送可能なＭＰＧ−２ＴＳに符号化変換するものであり、変換されたＴＳは、多重機１８を介して放送されるとともに、受局２に対して伝送される。また、映像エンコーダ１６は、ＰＣＲ（Ｐｒｏｇｒａｍ  Ｃｌｏｃｋ  Ｒｅｆｅｒｅｎｃｅ）を生成し、データ放送ストリームパケタイザー１７に出力する。また、この映像エンコーダ１６は、ＳＴＣ発生機１２で生成されたＳＴＣを符号化された映像信号に付加する機能を有している。
【００１９】
データ放送ストリームパケタイザー１７は、データ放送ストリームを放送可能な形式でパケット化し、多重機１８を介して送出するとともに、受局２に対して伝送を行うものであり、ＮＰＴ参照記述子生成機１５から入力されるＮＰＴ参照記述子と、映像エンコーダ１６からのＰＣＲとを、多重化したうえでＴＳ化を行う。多重機１８は、映像エンコーダ１６とデータ放送ストリームパケタイザー１７からの信号を多重化し、発局のサービスエリアの受信機に向けて放送するものである。
【００２０】
一方、受局２は、映像デコーダ２２と、ＳＤＩ補助信号デコーダ２３と、映像エンコーダ２４と、ＳＴＣ発生機２５と、多重器２６と、ＶＢＲＴＳバッファー２１とを有する。
【００２１】
映像デコーダ２２は、発局１から伝送されてきた符号化データを、復号変換するものであり、変換した映像をＳＤＩ補助信号デコーダ２３に送出する。ＳＤＩ補助信号デコーダ２３は、複合化された映像信号に含まれているＳＤＩ補助信号を復号するとともに、ＳＤＩ補助信号に含まれている時間情報を抽出し、これを読み出しＮＰＴ値として、ＶＢＲＴＳバッファー２１に出力する。映像エンコーダ２４は、復号変換された映像信号を再度符号化するものであり、この符号化は受局２独自に定められた変換レート及びシステム時間による。
【００２２】
ＳＴＣ発生機２５は、受局２独自のＳＴＣであるネット局マスタＳＴＣを発生させ、ＶＢＲＴＳバッファー２１に出力するものである。多重器２６は、映像エンコーダ２４で符号化された映像信号を多重化して放送可能なＴＳを生成するものである。また、多重器２６は、放送サービスの帯域に余裕がある場合には、サービス毎に帯域余剰信号を送信する。
【００２３】
ＶＢＲＴＳバッファー２１は、発局１から伝送されてきたデータ放送ストリームをバッファリングするとともに、受局２に適合したＶＢＲに変換するものである。本実施形態に係るＶＢＲＴＳバッファー２１は、ＴＳ分離３１と、オリジナルＳＴＣ再生部３２と、ＮＰＴ再生部３３と、ＴＳバッファー３４と、カルーセルバッファー３５と、ローカル局ＰＣＲ生成部３６と、ＳＴＣ付け替え部３７と、ＴＳ合成部３８とを有している。
【００２４】
ＴＳ分離３１は、発局１から伝送されてきたデータ放送ストリームからＰＣＲ、ＮＰＴ参照記述子、データカルーセル及びイベント・メッセージに分離するものである。
【００２５】
オリジナルＳＴＣ再生部３２は、ＴＳ分離部３１から入力されたＰＣＲに基づいて発局１におけるＳＴＣを発生させ、これをＳＴＣ値としてＮＰＴ再生部３３とＴＳバッファー３４に出力するものである。
【００２６】
ＮＰＴ再生部３３は、オリジナルＳＴＣ再生部３２から入力された発局１のＳＴＣ値に基づいてＮＰＴ参照記述子を照合し、入力されたＳＴＣ値に対応するＮＰＴ値を発生させるものである。生成されたＮＰＴ値は、ＴＳバッファー３４に出力される。また、ＮＰＴ再生部３３は、ＴＳ分離部３１から受け取ったＮＰＴ参照記述子をＳＴＣ付け替え部３７に送出される。
【００２７】
ＴＳバッファー３４は、ＴＳ分離部３１からのデータカルーセルを、オリジナルＳＴＣ再生部３２からのＳＴＣ値、ＮＰＴ再生部３３及びＳＤＩ補助信号デコーダ２３からの読み出しＮＰＴ値に基づいて読み出される。このデータカルーセルは、ＴＳ合成部３８に送出される。
【００２８】
具体的にこのＴＳバッファー３４は、ＴＳ分離３１からの複数のデータカルーセルＥＳをセクションデータ形式で保存する。このとき、セクションデータには、オリジナルＳＴＣ値とＮＰＴ値とが属性値として記録される。そして、ＴＳバッファー３４は、ＳＤＩ補助信号デコーダ２３から入力された読み出しＮＰＴ値と、ＴＳバッファーに記録されたＰＥＳの属性値である発局１のＮＰＴ値を比較し、一致したセクションデータを出力する。一致するＮＰＴ値を持つＰＥＳがない場合には、ヌルパケットを出力する。
【００２９】
カルーセルバッファー３５は、ＴＳ分離部３１で分離されたデータカルーセルのＶＢＲ（可変ビットレート）化するものである。このＶＢＲ化されたデータカルーセルは、ＴＳ合成部３８に送出される。具体的には、カルーセルバッファー３５は、データカルーセルＥＳをＥＳ毎に分離し、各ＥＳを、モジュールＩＤに応じてセクション形式でバッファーに保存するとともに、多重機２６からの帯域余剰信号を受信すると、その信号に応じたルールでセクションをＴＳ合成部３８に送出する。この帯域余剰信号は、多重機２６において、未使用の帯域が検出された際に送出されるものであり、多重機２６は、ＴＳ合成部２６から送出されたデータ内のＮＵＬデータを監視し、未使用の帯域を検出し、未使用分の帯域量に応じた帯域余剰信号をカルーセルバッファー３５に送出する。
【００３０】
詳述すると、このセクションの送出は、セクションの中に含まれるＤＩＩに応じて行う。先ず、カルーセルバッファー３５は、セクションの中のＤＩＩを抽出し、データカルーセルのモジュール構成を取得し、モジュールＩＤを属性値としてバッファーに保存する。そして、カルーセルバッファー３５は、ＥＳで伝送されるＤＩＩのトランザクションＩＤの変化を検知すると、カルーセルの内容が更新されたと判断し、バッファー内のデータをクリアする。
【００３１】
ローカル局ＰＣＲ生成部３６は、受局３６独自のＰＣＲを生成するものであり、ＳＴＣ発生機２５から入力されるネット局マスタＳＴＣに基づいてＰＣＲを生成する。ＳＴＣ付け替え部３７は、ＮＰＴ再生部３３からのＮＰＴ参照記述子を、ＳＴＣ発生機２５からのネット局マスタＳＴＣに基づいてＮＰＴ参照記述子を変更しＴＳ合成部３８に出力するものである。
【００３２】
ＴＳ合成部３８は、上記各部から送られてきたＰＣＲ、ＮＰＴ参照記述子、データカルーセル及びイベント・メッセージからＴＳを合成するものであり、合成されたＴＳは、多重機２６に出力される。
【００３３】
（動作）
以上説明した構成を有する本実施形態に係る放送データ伝送システムは、以下のように動作する。
【００３４】
先ず、発局１において映像信号が入力されると、ＳＤＩ補助信号エンコーダ１３においてＳＤＩ補助信号に実時間情報が付加されるとともに、映像エンコーダ１６において映像信号を符号化する。この符号化の際に、ＳＴＣから得られたＤＴＳ値とＰＴＳ値が付加される。また、映像信号の符号化に同期させてＰＣＲ値が生成され、これがデータ放送ストリームパケタイザー１７に入力される。
【００３５】
一方、データ信号については、先ず、ＮＰＴ時刻生成機１４において実時間情報からＮＰＴ値が生成され、これをＮＰＴ参照記述子生成機１５に入力するとともに、ＳＴＣ発生機１２で生成されたＳＴＣ値がＮＰＴ参照記述子生成機１５に入力され、ＮＰＴとＳＴＣの対応テーブルであるＮＰＴ参照記述子が生成される。
【００３６】
このＮＰＴ参照記述子は、データ放送ストリームパケタイザー１７に入力される。データ放送ストリームパケタイザー１７では、データ信号にＮＰＴ参照記述子及びＰＣＲ値を付加したうえで、データ信号をパケット化する。
【００３７】
そして、映像エンコーダ１６において符号化された映像信号は、固定ビットレート若しくは可変レートにより受局２に伝送されるとともに、多重機１８に入力される。また、データ放送ストリームパケタイザー１７でパケット化されたデータ信号は、ＣＢＲにより受局２に伝送されるとともに、多重機１８に入力される。多重機１８では、映像信号とデータ信号とを多重化して、放送する。
【００３８】
受局２に伝送された映像信号は、映像デコーダ２２で復号化されるとともに、ＳＤＩ補助信号デコーダ２３においてＳＤＩ補助信号が抽出される。ＳＤＩ補助信号デコーダ２３では、抽出したＳＤＩ補助信号から実時間情報を取得するとともに、これに基づいてＮＰＴ値を生成し、ＶＢＲＴＳバッファー２１に入力する。その後、映像信号を映像エンコーダにおいて符号化し、これを多重機２６に入力する。
【００３９】
一方、受局２に伝送されたデータ信号は、ＶＢＲＴＳバッファー２１に入力される。このＶＢＲＴＳバッファー２１において、ＰＣＲ、ＮＰＴ参照記述子、データカルーセル及びイベント・メッセージに分離される。
【００４０】
ＰＣＲは、オリジナルＳＴＣ再生３２に入力され、ここにおいてＳＴＣ値が生成され、このＳＴＣ値は、各々ＮＰＴ再生部３３とＴＳバッファー３４に入力される。ＮＰＴ参照記述子は、ＮＰＴ再生部３３に入力される。このＮＰＴ再生部３３において、ＮＰＴ参照記述子とＳＴＣ値とを照合し、ＮＰＴ値を生成し、このＮＰＴ値はＴＳバッファー３４に入力される。また、ＮＰＴ再生部３３は、ＮＰＴ参照記述子をＳＴＣ付け替え部３７に転送する。
【００４１】
データカルーセルは、複製されてＴＳバッファー３４とカルーセルバッファー３５に入力される。ＴＳバッファー３４では、受け取ったデータカルーセルをバッファーに蓄積するとともに、ＮＰＴ再生部３３からのＮＰＴ値とＳＤＩ補助信号デコーダ２３からのＮＰＴ値とに基づいて、蓄積しているデータカルーセルをＴＳ合成部３８に出力する。
【００４２】
カルーセルバッファー３５は、受け取ったデータカルーセルをバッファーに蓄積するとともに、多重機２６からの帯域余剰信号に応じて、蓄積したデータカルーセルを可変ビットレートにてＴＳ合成部３８に出力する。
【００４３】
具体的に、カルーセルバッファー３５は、多重機２６からの帯域余剰信号を受信すると、カルーセル内のＤＩＩ（Ｄａｔａ  Ｉｎｆｏｒｍａｔｉｏｎ  Ｉｎｉｔｉａｔｉｖｅ）の有無に基づいて、以下の順序、ルールでセクションを送出する。
【００４４】
（１）ＤＩＩが取得されていた場合
データカルーセル内にＤＩＩが存在し、既にカルーセルバッファー３５において取得されていた場合には、先ず、ＤＩＩをＴＳ合成部３８に対して送出し、これに続くＤＤＢ（ＤＤＩ記載順）を送出する。このＤＤＢを送出した際には、送出した最後のＤＤＢ（最終送出ＤＤＢ）をメモリ（最終送出ＤＤＢメモリ）に記憶する。そして、次のＤＤＢを送出するときには、最終送出ＤＤＢメモリの値より大きく且つ一番近いモジュール分のＤＤＢを送出する。
【００４５】
その後、ＤＩＩに記載されている一番大きいモジュールＩＤ（最終ＤＤＢ）と最終送出ＤＤＢのモジュールＩＤが一致した場合には、ＤＤＩを送出し、最終送出ＤＤＢメモリをＮＵＬとする。また、放送運用規定に定められた周期でＤＩＩを送出する。
【００４６】
（２）ＤＩＩが取得されていない場合
一方、ＤＩＩが存在せず、ＤＩＩが取得されていない場合には、取得したモジュールを取得順に送出する。
【００４７】
なお、イベントメッセージは、バッファーをスルーして直接ＴＳ合成部３８に入力される。
【００４８】
（効果）
以上説明した本実施形態に係る放送データ伝送システムによれば、発局１において映像信号及びデータ信号のそれぞれに時間情報（ＳＴＣ値，ＮＰＴ値，ＰＣＲ値）を付加し、この時間情報に基づいて受局２で、映像信号とデータ信号との同期を取りつつ多重化を行うことができるため、受局２における放送データの利用が容易なものとなる。
【００４９】
また、本実施形態においては、受局２において映像信号とデータ信号とを多重化する際に、カルーセルバッファー３５によりデータカルーセルを可変ビットレート化することにより、未使用の帯域を有効利用することができる。
【００５０】
さらに、本実施形態では、ＳＴＣ付け替え部３７において、ＮＰＴ参照記述子のシステム時間情報（ＳＴＣ値）について、発局１固有のものと受局２固有のものとを付け替えるため、それぞれ固有の時間情報で多重化及び放送を行うことができ、各局の環境に適応させつつ、コンテンツの有効利用を図ることができる。
【００５１】
【発明の効果】
以上説明したように本発明によれば、本局で放送される放送データを地方局でそのまま利用することを可能とし、コンテンツの有効利用を図るとともに、地方局でのコンテンツ製作に関する負担を軽減することができる。また、本発明によれば、発局と受局とで、映像信号とデータ信号との同期を図ることができるため、受局によるコンテンツの利用を容易なものとすることができる。
【図面の簡単な説明】
【図１】本発明の実施形態に係る放送データ伝送システムの概略構成を示すブロック図である。
【図２】実施形態に係る放送データ伝送システムにおけるＶＢＲＴＳバッファーの概略構成を示すブロック図である。
【符号の説明】
１…発局、２…受局、１１…実時間発生部、１２…ＳＴＣ発生部、１３…ＳＤＩ補助信号エンコーダ、１４…ＮＰＴ時刻生成機、１５点ＮＰＴ参照記述子生成機、１６…映像エンコーダ、１７…データ放送ストリームパケタイザー、１８…多重機、２１…ＶＢＲＴＳバッファー、２２…映像デコーダ、２３…ＳＤＩ補助信号デコーダ、２４…映像エンコーダ、２５…ＳＴＣ発生機、２６…多重機
【図１】
0003782006.tif 000002
【図２】
0003782006.tif 000003